(57)【要約】【課題】複数種類の接合式のメモリーカードを選択的に用いる場合、所定のメモリーカードを、そのカードに合った挿通口からコネクタ接合端子に、的確に挿通し接合させる。【解決手段】コネクタ本体の天井板内に、上面が平滑であり且つこの上面の中心軸から放射状の位置に複数のコネクタ接合端子を有する円筒状又は角柱状のカードコネクタ台を形成し、このカードコネクタ台上に前記中心軸の周りに回転するカード挿通兼押圧円板を配置し、カード挿通兼押圧円板の上面に、使用するカードの平面寸法と等しい大きさのカード挿通孔を穿設する。カード挿通兼押圧円板には、使用するカードの平面形状のうち最大の形状のカード挿通孔が１個形成されるか、又はカードの平面形状と同一形状のカード挿通孔が複数個形成される。またカード挿通孔兼押圧円板の下面とカードコネクタ台の上面との間に板バネ又はゴム球からなる弾性体を配置する。【選択図】図１
2007026687.tif 000002
【特許請求の範囲】
【請求項１】
コネクタ本体の天井板内に、上面が平滑であり且つ該上面に中心軸から放射状に展開した位置に複数のカード挿入凹部及び接合端子を具える円筒状又は角柱状のカードコネクタ台を形成し、該カードコネクタ台上に前記中心軸の周りに回転するカード挿通兼押圧円板を配置し、このカード挿通兼押圧円板の上面に、使用する全てのカードの平面寸法と等しい大きさのカード挿通孔を穿設することを特徴とする、カード挿通兼押圧円板式メモリーカードコネクタ。
【請求項２】
前記カード挿通兼押圧円板には、使用する全てのカードの平面形状のうち最大の形状のカード挿通孔が１個形成される、請求項１に記載のカード挿通兼押圧円板式メモリーカードコネクタ。
【請求項３】
前記カード挿通兼押圧円板には、使用する全てのカードの平面形状と同一形状のカード挿通孔が複数個形成される、請求項１に記載のカード挿通兼押圧円板式メモリーカードコネクタ。
【請求項４】
前記カード挿通兼押圧円板とカードコネクタ台の上面との間に、挿通したカードを押圧する弾性体を具える、請求項１乃至３の内１項に記載のカード挿通兼押圧円板式メモリーカードコネクタ。
【請求項５】
前記カード挿通兼押圧円板とカードコネクタ台の上面との間の適所に、突起及び窪みを設け、前記カード挿通兼押圧円板がカードコネクタ台に対してクリック回転することを特徴とする、請求項１乃至４の内１項に記載のカード挿通兼押圧円板式メモリーカードコネクタ。
【発明の詳細な説明】
【技術分野】
【０００１】
この発明は、ＭＳカード／ＭＳデュオカード（ＭＳ／ＭＳ  Ｄｕｏ）、ＳＤ・ＭＭＣカード（ＳＤ／ＭＭＣ  ＲＳ−ＭＭＣ）、ミニＳＤカード（Ｍｉｎｉ−ＳＤ×Ｄ）等一般に多用されているメモリーカードの内、裏側表面に接合端子を列設した複数種類のメモリーカードを１個のコネクタで電子情報処理するカードコネクタにおいて、使用する一種類のカードを選択し、その端子をカードコネクタの接合端子に圧設し、電気的に接続して、電子情報を取出し又は蓄積するようにするメモリーカードコネクタに関する。
【背景技術】
【０００２】
従来、このような複数種類のメモリーカードを一つのコネクタに接続し、電子情報処理する場合、夫々のカードの寸法に合わせた挿入口と接合端子を配置した表面板を、コネクタの前面又は側面に設けることが、通常行われている。例として、特開平１０−１６２９０６号公報に記載された多段カードコネクタ、特開２００４−２１３５０５号公報に記載されたカード用コネクタ装置等がある。
【特許文献１】特開平１０−１６２９０６号公報
【特許文献２】特開２００４−２１３５０５号公報
【発明の開示】
【発明が解決しようとする課題】
【０００３】
このように複数種類のメモリーカードを選択的に用いる場合、使用者にとって使用しようとするメモリーカードを、そのカードに合った挿入口に的確に挿入しなければならず、挿入口の選択に手間取ったり、所定の挿入口に形状の類似する別種類のカードを挿入しようとしてカード又は挿入口内の接合端子を損傷してしまうことがあった。
【０００４】
また、このように複数のカード挿入口を有するコネクタでは、既に挿入済みのカードの存在を忘れて、別の挿入口に別のカードを挿入してコネクタに繋げた電子機器を起動させて、トラブルに陥るケースもあった。このような事故を未然に防止する為には、挿入口の数を少なく、出来れば1個にし、また使用者が意識して、挿入しようとするカードに適合した接合端子を用意することが必要になる。
【課題を解決するための手段】
【０００５】
そこでこの発明では、コネクタ本体の天井板内に、上面が平滑であり且つこの上面に、中心軸から放射状に展開した位置に複数のカード挿入凹部及び接合端子を有する円筒状又は角柱状のカードコネクタ台を形成し、その上に前記中心軸の周りに回転するカード挿通兼押圧円板を配置し、この押圧円板の上面に、使用する全てのカードの平面寸法と等しい大きさのカード挿通孔を穿設し、所定のカードをそのカード接合端子を下側にして、挿通孔からカードコネクタ台上の該当するカード挿入凹部及び接合端子上に載置した後、カード挿通兼押圧円板を回転軸の周りに回転させて、カードはこのカード挿通兼押圧円板下面の挿通孔の無い部分で押圧され、カード挿入凹部及び接合端子と密に接合する。
【０００６】
カード挿通兼押圧円板の上面には指掛け突起又は孔を設けて、手動によるカード挿通兼押圧円板の回動を可能にしている。また、カード挿通兼押圧円板が、カードをカード挿入凹部及び接合端子に対して押圧する押圧力を高めるとともに、カードとの接点を小さくしてカード表面の擦損を少なくするために、カード挿通兼押圧円板の裏側表面適所に、板バネ、ゴム球等の弾性体を配置することも可能である。
【０００７】
この発明の一実施態様では、カード挿通兼押圧円板には、使用する全てのカードの平面形状のうち最大の形状のカード挿通孔が１個形成される。使用者はこのカード挿通兼押圧円板を回しながら、カード挿通孔がカードコネクタ台上の所定のカード挿入凹部及び接合端子の上に来た時に、カード挿通孔から所定のカードを挿入し、更にカード挿通兼押圧円板を回動させて、カード挿通孔を外れた円板の裏側表面で、カードをカード挿入凹部及び接合端子に対して押圧する。この接合端子は、カードコネクタ台適所に設けたコネクタ接合端子と電気的に接続されている。
【０００８】
さらに、カード挿通兼押圧円板とカードコネクタ台の上面との間に板バネ又はゴム球からなる弾性体を配置し、挿入されたカードをカード挿通兼押圧円板によって押圧する。また、カード挿通兼押圧円板とカードコネクタ台の上面との間の適所に、突起及び窪みを設け、カード挿通兼押圧円板がカードコネクタ台の所定の位置で止まるよう、クリック回転させる。
【０００９】
この発明の他の実施態様では、カード挿通兼押圧円板には、使用する全てのカード平面形状のカード挿通孔が、複数個配設される。カードコネクタ台上にも、これと同じ全てのカード挿入凹部及び接合端子が、カード挿通兼押圧円板のカード挿通孔と同じパターンで複数個配設される。使用者はカード挿通兼押圧円板を回しながら、カード挿通孔とカードコネクタ台上のカード挿入凹部及び接合端子のパターンが合致する時にカード挿通兼押圧円板の回転を止め、次に所定のカードを所定のカード挿通孔から挿入してカードコネクタ台の所定のカード挿入凹部及び接合端子に挿入し接合させる。次いでカード挿通兼押圧円板を少し回動させて、所定のカードがカード挿通兼押圧円板の下面でカード挿入凹部及び接合端子に対して確実に接合するように押圧する。このカード挿通兼押圧円板の回動により、挿通された所定のカードをカードコネクタ台の所定のカード挿入凹部及び接合端子に安定的に挿入、接合させることが出来る。この接合をより確実なものとすると共に、化^ド表面の擦損を可及的に小さくするために、前述した実施態様と同じく、カード挿通兼押圧円板の裏側表面適所に、板バネ又はゴム球からなる弾性体を配置する。また円板回動後の停止位置を確実なものとするために、カード挿通兼押圧円板とカードコネクタ台の上面との間の適所に、突起及び窪みを設ける。
【発明の効果】
【００１０】
この発明のコネクタは以上のように構成するので、一つのカードコネクタ台で複数のカードを選択的に使用する場合、カード挿通兼押圧円板を回動させ、且つ所定位置で停止させた後にカードを挿入し押圧することにより、容易且つ安定的に、所定のカードをカード挿入凹部の接合端子に接合させ、情報処理に供することができる。カード挿通兼押圧円板に使用するカードの選択は、使用者がカード挿通兼押圧円板を回動させながら、カードコネクタ台上の所定のカード挿入凹部及び接合端子を見出すか、予めカード挿通兼押圧円板に複数個配設されたカード挿通孔から所定のカード挿通孔を選択して、その上に所定のカードを挿入した後に、さらにカード挿通兼押圧円板を回動させることにより、円板下面の挿通孔の無い部分によりカード上面を押圧することにより、このカードをコネクタ台上に安定的に接合させることが出来る。
【００１１】
カード挿通兼押圧円板の上面には指掛け突起又は孔を設けたので、手動によるカード挿通兼押圧円板の回動が容易である。また、カード挿通兼押圧円板の裏側表面適所に、板バネ、ゴム球等の弾性体を配置したので、カード挿通兼押圧円板が、カードをカード挿入凹部及び接合端子に対して押圧する押圧力を高めるとともに、カードとの接点を小さくしてカード表面の擦損を少なくすることができる。また、カード挿通兼押圧円板とカードコネクタ台の上面との間の適所に突起及び窪みを設けたので、円板はクリック回転し、回動後の停止位置が確実になる。
【実施例１】
【００１２】
図１はこの発明の一実施例である、回転押圧板式カードコネクタを示す。コネクタ本体１の天井板２内に、上面が平滑であり且つ中心軸から放射状の位置に複数のカード挿入凹部及び接合端子３、３’、３”・・を有する円筒状又は角柱状のカードコネクタ台４を形成し、その上に中心軸の周りに回転するカード挿通兼押圧円板５を配置し、このカード挿通兼押圧円板５の上面６に、使用する全てのカード７の平面寸法の寸法と略等しい大きさのカード挿通孔のうち最大の形状のカード挿通孔８を１個穿設する。使用者がカード挿通兼押圧円板を回動させながら、カードコネクタ台上の所定のカード挿入凹部及び接合端子３を見出し、所定のカード７をその接合端子９を下側にして挿通孔８からカードコネクタ台４上の該当するカード挿入凹部及び接合端子３上に挿入した後、カード挿通兼押圧円板５を回転軸の周りにさらに回転させて、このカード挿通兼押圧円板下面１１の挿通孔の無い部分で、カード７の上面を押圧し、カード７の接合端子９をカード挿入凹部及び接合端子３に確実に接合させる。
【００１３】
カード挿通兼押圧円板５の上面には指掛け突起又は孔１２を設けて、手動によるカード挿通兼押圧円板５の回動を可能にしている。また、カード挿通兼押圧円板５が、カード７の接合端子９をカード挿入凹部及び接合端子３に対して押圧する押圧力を高めるために、カード挿通兼押圧円板５の下面１１適所に、板バネ、ゴム球等の弾性体１３を配置する。また、カード挿通兼押圧円板とカードコネクタ台の上面との間の適所に、突起１４及び窪み１５を設けて、カード挿通兼押圧円板５がカードコネクタ台４に対して、クリック回転動作をするように構成する。
【００１４】
図１及び２に示すように、カード挿通兼押圧円板５には、使用する全てのカード７，７’、７”・・の平面形状のうち最大の形状のカード挿通孔８が１個形成される。使用者はこのカード挿通兼押圧円板５を回しながら、カード挿通孔８がカードコネクタ台上の所定のカード挿入凹部及びコネクタ接合端子３の上に来た時に、カード挿通孔８から所定のカード７を挿通し、更にカード挿通兼押圧円板５を回動させて、カード挿通孔８を外れた円板５の下面１１及び弾性体１３で、カード７の接合端子９をカード挿入凹部及び接合端子３に対して押圧する。
【実施例２】
【００１５】
この発明の他の実施例では、図３に示すように、カード挿通兼押圧円板５に、使用するカード７，７’、７”・・全ての平面形状のカード挿通孔８、８’、８”・・が適宜配設される。カードコネクタ台４上にも、これと同じカード挿入凹部及び接合端子３、３’、３”・・が、カード挿通兼押圧円板５のカード挿通孔８、８’、８”・・と同じパターンで配設される。使用者はカード挿通兼押圧円板５を回しながら、カード挿通孔とカードコネクタ台上のカード挿入凹部及びコネクタ接合端子３、３’、３”・・のパターンが合致する時に、カード挿通兼押圧円板５の回転を止め、次に所定のカード７を所定のカード挿通孔８から挿入して、カードコネクタ台４の所定のカード挿入凹部及びコネクタ接合端子３、３’、３”・・の１つに接合させ、次いでカード挿通兼押圧円板５を少し回動させて、所定のカード７がカード挿通兼押圧円板５によって押圧され、カード挿入凹部及び接合端子３と接合する。
【００１６】
前述した実施例と同様、この接合をより確実なものとするために、カード挿通兼押圧円板５の裏側表面適所に、板バネ、ゴム球等の弾性体１３を配置する。また、カード挿通兼押圧円板とカードコネクタ台の上面との間の適所に、突起１４及び窪み１５を設けて、カード挿通兼押圧円板５がカードコネクタ台４に対して、クリック回転動作させ、カード挿通兼押圧円板５がカードコネクタ台４の所定の位置で、正確に止まるようにする。
【産業上の利用可能性】
【００１７】
このようなカード挿通兼押圧円板とカードコネクタ台の組合せにより、複数のメモリーカードを選択的に用いる電子機器において、この機器の上面適所に、この回転式のカードコネクタを配置することにより、電子機器全体の丈を低くすることが出来、使用者の使い勝手がさらに良好になる。例えば図４に示すように、側面が少なく、割合広い上面を有する電子機器例えばカードから写真等を印刷するプリンタにおいて、このプリンタの上面適所に、この回転式のカードコネクタを配置すると、上面の有効な利用が出来、且つ電子機器の丈を低くすることが出来る。このようなデザインは、この種類の電子機器における使用者の使い勝手を良好にする。
【図面の簡単な説明】
【００１８】
【図１】この発明の一実施例である、見取り図である。
【図２】この発明の一実施例の、カード挿通兼押圧円板の平面図である。
【図３】この発明の他の実施例の、カード挿通兼押圧円板の平面図である。
【図４】この発明のカードコネクタを取付けた電子機器の概念図である。
【符号の説明】
【００１９】
１  コネクタ本体
２  天井板
３、３’、３”  カード挿入凹部及び接合端子
４  カードコネクタ台
５  カード挿通兼押圧円板
６  上面
７、７’、７”  カード
８、８’、８”  カード挿通孔
９  接合端子
１０、１０’、１０”  コネクタ接合端子
１１  下面
１２  指掛け突起又は孔
１３  弾性体
１４  突起
１５  窪み
【図１】
2007026687.tif 000003
【図２】
2007026687.tif 000004
【図３】
2007026687.tif 000005
【図４】
2007026687.tif 000006